(57)【要約】【課題】  発電所におけるユニット運転業務に係る情報を一元的に管理し、オペレータ誰もが所望する情報を容易に取得できるようにする業務支援システムを提供する。【解決手段】  本発明に係る業務支援システムは、発電所におけるユニット運転業務に係る情報（運転手順やノウハウ等）を記憶するサーバと、該サーバとネットワーク接続し、オペレータの選択操作に従って、前記サーバに適宜アクセスし、メニュー画面から階層的に前記選択操作に対応する子画面を表示可能に構成されてなる端末装置とを有し、オペレータは、前記メニュー画面から所望する情報に関連付けられた１又は複数のキーワードに基づく選択操作を行うことで、当該所望する情報を容易に取得することができる。【選択図】  図２
2006190087.tif 000002
【特許請求の範囲】
【請求項１】
発電所におけるユニット運転業務に係る情報を記憶するサーバと、
該サーバとネットワーク接続し、オペレータの選択操作に従って、前記サーバに適宜アクセスし、メニュー画面から階層的に前記選択操作に対応する子画面を表示可能に構成されてなる端末装置とを有し、
オペレータは、前記メニュー画面から所望する情報に関連付けられた１又は複数のキーワードに基づく選択操作を行うことで、当該所望する情報を取得できることを特徴とする業務支援システム。
【請求項２】
前記ユニット運転業務に係る情報の一部は、オペレータによる更新が可能であることを特徴とする請求項１に記載の業務支援システム。
【発明の詳細な説明】
【技術分野】
【０００１】
本発明は、発電所におけるユニット運転業務を支援するための業務支援システムに関する。
【背景技術】
【０００２】
火力発電所等におけるユニット（ボイラ、タービン、発電機等の発電に係る設備の総称）の運転業務は、特に安全性や安定性（安定した電力の供給）が要求され、運転員（オペレータ）には、高いレベルの業務知識が求められる。
【０００３】
上記業務知識は、いわゆる「形式知」と「暗黙知」とに大別される。「形式知」は、客観的に説明等ができる知識をいい、具体的には、運転手順や運転時における基本的な（マニュアル化された）確認事項等が該当する。一方、「暗黙知」は、長年の運転経験やノウハウといったオペレータ各個人の中に蓄積された知識のことをいう。
【発明の開示】
【発明が解決しようとする課題】
【０００４】
従来より、上記「形式知」（マニュアル等）は、通常、文書（書類）化され、オペレータの誰もが自由に閲覧できるようになっている。しかし、その量（書類数等）は膨大であり、知りたい情報をすぐに探し出すのは困難である。このため、例えば、運転前の手順の事前チェック等が容易でなく、また、運転時においては確認事項のチェックが即座にできないという不便感がある。さらに、改訂、修正等における手間が非常にかかるという問題もある。
【０００５】
また、上記「暗黙知」（オペレータのノウハウ等）については、オペレータそれぞれが、個人的に資料化等して保持することはあるものの、共有財産として全体的に公開されることはない。したがって、新人や経験の浅いオペレータは、ベテランオペレータに個別に聞いたり、業務中にメモを取るなどして徐々に自らのノウハウとして蓄積してゆく術しかなく、これでは、効率が悪く、また、知識を均一化させるのが困難である。
【０００６】
本発明は、上記従来の問題に鑑みてなされたものであり、ユニット運転業務に係る情報を一元的に管理し、オペレータ誰もが所望する情報を容易に取得できるようにする業務支援システムを提供することを目的とする。
【課題を解決するための手段】
【０００７】
本発明に係る業務支援システムは、発電所におけるユニット運転業務に係る情報を記憶するサーバと、該サーバとネットワーク接続し、オペレータの選択操作に従って、前記サーバに適宜アクセスし、メニュー画面から階層的に前記選択操作に対応する子画面を表示可能に構成されてなる端末装置とを有し、オペレータは、前記メニュー画面から所望する情報に関連付けられた１又は複数のキーワードに基づく選択操作を行うことで、当該所望する情報を取得できることを特徴とする。
【０００８】
上記構成の業務支援システムによれば、端末装置（一般的に普及しているパーソナルコンピュータを想定する。）のモニタ上に表示されるメニュー画面からオペレータは容易に所望する情報（ユニット運転業務に係る情報、即ち業務知識）を取得することが可能となる。したがって、例えば、運転前の手順の事前チェックが容易となり、また、運転時での確認事項のチェックが即座にできることになる。
【０００９】
また、上記ユニット運転業務に係る情報にいわゆる「暗黙知」（オペレータのノウハウ等）を含めることで、暗黙知の共有化ができるので、後輩オペレータ等へのかかる知識の継承が効率的に行われると共に、知識の均一化も図れる。
【００１０】
また、上記ユニット運転業務に係る情報は、サーバ上で一元管理されているため、追加、変更等の作業は容易である。
【００１１】
また、前記ユニット運転業務に係る情報の一部は、オペレータによる更新が可能である構成とすると、ノウハウ等の暗黙知の蓄積や修正が容易となり、よりシステムの利便性が向上する。
【発明の効果】
【００１２】
以上のように、本発明によれば、ユニットの運転業務において、オペレータは、知りたい情報を端末装置上の簡易な操作で取得することができるので、例えば、運転前の事前チェックが容易にでき、また運転時での確認事項のチェックが即座にできることになる。したがって、オペレータの技術向上が図れ、業務の正確性も向上する。
【００１３】
また、上記ユニット運転業務に係る情報にいわゆるノウハウ等の「暗黙知」を含めることで、従来できなかったノウハウ等の共有化が実現するので、新人オペレータ等の早期育成や知識の均一化が期待できる。また、熟練者にとっても知識のブラッシュアップとなるため、当該業務に係るオペレータ全員の業務知識のレベル向上が図れる。
【００１４】
さらに、上記ユニット運転業務に係る情報は、オペレータによる更新が可能であるため、例えば、ノウハウ等の暗黙知の蓄積や修正が容易となり、よりシステムの利便性が向上する。また、オペレータ自らのノウハウ等がシステム反映され得るため、業務改善についての意識を強めることも期待できる。
【発明を実施するための最良の形態】
【００１５】
以下、本発明に係る業務支援システムの一実施形態について図面を参照して説明する。
【００１６】
図１は、本実施形態に係る業務支援システムの概念図である。該業務支援システムは、火力発電所に設置され、ユニット（ボイラ、タービン、発電機等の発電に係る設備の総称）運転に係る業務について、運転員（オペレータ）を支援するためのシステムであり、サーバ１とＬＡＮ３により接続された複数の端末装置２によって構成されている。
【００１７】
サーバ１には、ユニット運転業務に係る情報（以下「業務データ」という）がデータベース（ＤＢ）化されて記憶されている。該ＤＢ上において、業務データは、大別すると、「起動／停止」、「通常運転」及び「定例業務」の３つの業務形態（キーワードともなる）で分類されて（関連付けられて）一元的に管理されている。
【００１８】
起動／停止に係る業務データとは、ユニットの起動あるいは停止における業務知識を意味し、具体的には、オペレータの運転手順等が該当する。
【００１９】
通常運転に係る業務データとは、ユニット起動後の運転、即ち電力供給時における業務知識を意味し、具体的には、基本的な（マニュアル化された）確認事項等が該当する。
【００２０】
また、起動／停止、通常運転に係る業務データには、上記の如くいわゆる「形式知」の他に、オペレータの経験に基づくノウハウ等の知識（暗黙知）も注意事項等として含まれている。
【００２１】
また、定例業務とは、その運転日に特化した業務知識を意味し、具体的には連絡的な情報が該当する。
【００２２】
端末装置２は、一般的に普及しているパーソナルコンピュータ（ＰＣ）であり、所内の適切な場所に複数設置されている。各端末装置２には、オペレータにＧＵＩ（グラフィカル・ユーザ・インタフェース）を提供し、サーバからオペレータの所望の業務データを検索し、当該端末装置２のモニタに表示できるソフトウェアがインストールされている。
【００２３】
以下、オペレータによる業務データの取得操作について具体的に説明する。
【００２４】
図２は、端末装置２のモニタに表示されるメインメニュー画面の一例である。Ａ号、Ｂ号とあるのは、運転対象のユニットが、Ａ号機、Ｂ号機の２種類存在することを示している。ここで、オペレータが、例えば、Ｂ号機の起動に係る情報を所望する場合には、端末装置２が備える入力手段（マウス、キーボード等）を用いて、”Ｂ号起動”ボタンにカーソルを移動させて選択状態にし、そこで決定操作（例えば、マウスの左クリックやキーボードのリターンキー押下など）を行えばよい。ここで、”Ｂ号起動”は、オペレータの所望する情報に関連付けられたキーワードの１つに該当する。
【００２５】
そうすると、端末装置２はサーバ１にアクセスし、必要となるデータを取得し、図３に示す子画面（Ｂ号起動シーケンス・ノウハウ画面）を表示する。Ｂ号起動シーケンス・ノウハウ画面には、Ｂ号機ユニットの起動に係る主要操作の項目毎（例えば、”ユニット起動準備”、”ボイラ点火準備”等）にそれぞれ複数の詳細項目のボタンが配置（表示）されている（例えば、”ユニット起動準備”ならば「海水系統起動」ボタン及び「補助蒸気系統起動」ボタン、”ボイラ点火準備”ならば「ボイラ水張り」ボタン、「給水ポンプ起動」ボタン、「通風系統起動」ボタン及び「蒸気式空気予熱器起動」ボタン）。
【００２６】
ここで、オペレータが「給水ポンプ起動」ボタンを上述した操作方法で選択すると、端末装置２はサーバ１にアクセスし、必要となるデータを取得して、給水ポンプ起動に係る図示しない運転手順（フローチャート等）画面を表示する。ここで、”給水ポンプ起動”は、オペレータの所望する情報に関連付けられたキーワードの１つに該当する。
【００２７】
また、当該運転手順の下方へ画面をスクロール移動させると、図４に示すような給水ポンプ起動に係るノウハウ情報が表示される。尚、かかるノウハウ情報の表示方法については、画面のスクロール移動だけでなく、所定のボタン操作によって子画面として表示させる仕様であっても構わない。
【００２８】
このようにオペレータは、メインメニュー画面より、（所望する情報に関連付けられたキーワードに基づく）簡単な選択操作を行うだけで、ユニットの起動／停止業務について、所望する情報を取得（閲覧）することができる。これは、他のユニット（Ａ号機）の他の操作項目（例えば、「復水系統起動」など）についても同様である。
【００２９】
また、オペレータが通常運転に係る情報を所望する場合にも上記同様に当該所望する情報に関連付けられたキーワードに基づく選択操作を行えばよい。具体的には、先ず、メインメニュー画面からＡ号機あるいはＢ号機の選択を行い（操作方法は上記と同様）、それによって表示される図示しない子画面（例えば、ユニット毎の計器種別等が表示される画面）からさらに所望する情報が含まれる項目（例えば、計器名等）を選択する。すると、かかる計器の確認事項が表示される。この場合の確認事項は、例えば、かかる計器が示す正常値、異常値の範囲や、異常値の場合の対策等が該当する。また、起動／停止の場合と同様に、スクロールの移動あるいは所定のボタン操作によって、当該確認事項に係るノウハウ情報が表示される。
【００３０】
このようにオペレータは、メインメニュー画面より、簡単な選択操作を行うだけで、ユニットの通常運転業務について、所望する情報（確認事項やそれに係るノウハウ等）を即座に取得（閲覧）することができる。
【００３１】
また、定例業務に係る情報も、メインメニュー画面からの簡単な選択操作で閲覧することができるので、オペレータは当該運転日（あるいは明日以降の予定でもよい）に係る業務情報をいつでも容易に把握できるため、聞き漏らし等の連絡漏れを防止でき、またペーパレス化も図れる。
【００３２】
また、上記「起動／停止」及び「通常運転」業務に係るノウハウ情報（例えば、図４における”ノウハウ・留意事項”）については、オペレータによる更新が可能となっている。この場合、追加のみ可能としたり、あるいは書き換え（上書き）も可能にする等、種々の条件を付加することができる。また、更新の際に、パスワードを要求する等の仕様を採用してもよい。
【００３３】
以上説明したように、本発明の本実施形態に係る業務支援システムを導入することで、オペレータは容易に所望する業務データを取得できるので、運転前の事前チェックが容易にでき、また運転時での確認事項のチェックが即座にできることになる。
【００３４】
また、取得できる業務データには、ノウハウ等も含まれるため、新人オペレータ等への技術継承が効率的に行え、また知識の均一化が図れる。
【００３５】
また、当日の連絡事項等を漏らさず確認することができるので、より正確に業務を遂行できる。
【００３６】
また、オペレータが、当該システムに自らのノウハウを反映することができるため、業務改善への意識が強まり、当該運転業務の質の向上が図れる。
【００３７】
尚、本発明に係る業務支援システムは、上記実施形態に限定されるものではなく、本発明の要旨を逸脱しない範囲で種々の変更が可能である。
【００３８】
例えば、上記実施形態では、端末装置の入力手段としてマウス、キーボードを挙げたが、これに限定されず、例えば、端末装置のモニタをタッチパネル方式の入力が可能となるように構成し、オペレータの指や専用の入力ペン等を使用して選択操作ができるようにしてもよい。
【００３９】
また、上記実施形態では、業務データを大別して、「起動／停止」、「通常運転」及び「定例業務」の３つの業務形態で分類していたが、これに限定されず、情報検索（取得）の容易性が損なわれない範囲であれば、その他の業務形態（例えば、運用・取り決め事項（法令、運用規定等）など）も含め、どのように取捨選択して分類するかは任意である。
【００４０】
また、オペレータが更新できる業務データは、ノウハウに係る情報だけでなくその他の業務データに係る情報であっても構わない。
【図面の簡単な説明】
【００４１】
【図１】本発明の一実施形態に係る業務支援システムの概念図である。
【図２】同実施形態において、端末装置のモニタに表示されるメインメニュー画面の一例を示す図である。
【図３】同実施形態において、端末装置のモニタに表示されるＢ号起動シーケンス・ノウハウ画面の一例を示す図である。
【図４】同実施形態において、端末装置のモニタに表示されるノウハウ情報の一例を示す図である。
【符号の説明】
【００４２】
１  サーバ
２  端末装置
３  ＬＡＮ
【図１】
2006190087.tif 000003
【図２】
2006190087.tif 000004
【図３】
2006190087.tif 000005
【図４】
2006190087.tif 000006